(57)【特許請求の範囲】
【請求項１】
温水を供給する温水供給手段と、該温水供給手段の作動を制御する温水供給制御手段とを備え、温水を熱源として室内の暖房を行う暖房機に対して前記温水供給手段により温水を供給する温水供給装置であって、
前記暖房機に備えられた送信手段から出力される信号を通信線を介して入力する信号入力回路を有する受信手段を備えて、前記送信手段から該受信手段への一方向通信を行ない、前記温水供給制御手段は、前記信号入力回路に入力される信号の種類に応じて前記温水供給手段の作動を制御する温水供給装置において、
前記通信線の途中個所を信号伝達可能状態と信号伝達不能状態とに切換える切換え回路と、前記入力回路への信号入力の有無を検知する信号入力検知手段と、前記切換え回路により前記通信線の前記途中個所を前記信号伝達不能状態としたときに、前記信号入力検知手段により前記入力回路への信号入力が検知されるか否かに応じて前記信号入力回路の故障の有無を検知する故障検知手段と、
該故障検知手段により前記入力回路が故障状態にあることが検知されたときに、前記温水供給手段の作動の禁止と故障報知とのうち少なくともいずれか一方を行う故障対処手段とを備えたことを特徴とする温水供給装置。
【請求項２】
前記受信手段は前記信号入力回路に入力される信号の種類を識別する信号識別手段を有し、前記温水供給制御手段は前記信号識別手段により識別された信号の種類に応じて前記温水供給手段の作動を制御し、
前記信号入力検知手段は、前記信号識別手段により所定種類の信号が識別されたときに、前記信号入力回路に信号が入力されたと判断することを特徴とする請求項１記載の温水供給装置。
【請求項３】
温水を供給する温水供給手段と、該温水供給手段の作動を制御する温水供給制御手段とを備え、温水を熱源として室内の暖房を行う暖房機に対して前記温水供給手段により温水を供給する温水供給装置であって、
前記暖房機に備えられた送信手段から出力される信号を通信線を介して入力する信号入力回路と、該信号入力回路に入力された信号の種類を識別する信号識別手段とを有する受信手段を備えて、前記送信手段から該受信手段への一方向通信を行い、前記温水供給制御手段は、前記信号識別手段により識別された信号の種類に応じて、前記温水供給手段の作動を制御する温水供給装置において、
前記信号線と接続された検査用信号入力回路と、該検査用信号入力回路に入力された信号の種類を識別する検査用信号識別手段と、同一時点において、前記信号識別手段により識別された信号の種類と前記検査用信号識別手段により識別された信号の種類とが一致するか否かに応じて、前記信号入力回路又は前記検査用信号入力回路の故障の有無を検知する故障検知手段と、
該故障検知手段により前記入力回路又は前記検査用入力回路が故障状態にあることが検知されたときに、前記温水供給手段の作動の禁止と故障報知とのうち少なくともいずれか一方を行う故障対処手段とを備えたことを特徴とする温水供給装置。
【発明の詳細な説明】
【０００１】
【発明の属する技術の分野】
本発明は、温水を熱源とする暖房機から出力される信号の種類に応じて、該暖房機への温水の供給を制御する温水供給装置に関する。
【０００２】
【従来の技術】
例えば、バーナを熱源とする熱交換器を有し、該熱交換器で加熱生成された温水を、該温水を熱源として室内の暖房を行う温風暖房機や床暖房パネル等に供給する温水供給装置が知られている。かかる温水供給装置はこれらの暖房機から離れた場所に設置されるのが一般的であるため、温水供給装置と暖房機との間は通信可能に接続され、使用者の便宜を考慮して暖房の開始や停止を指示するスイッチ類は暖房機に設けられる。
【０００３】
そして、使用者により暖房機に設けられた暖房開始スイッチが操作されると、暖房機から温水供給装置に対して暖房の開始を指示する信号が送信され、該信号を受信した温水供給装置はバーナに点火して暖房機への温水の供給を開始する。また、暖房機に設けられた暖房停止スイッチが操作されると、暖房機から温水供給装置に対して暖房の停止を指示する信号が送信され、該信号を受信した温水供給装置はバーナを消火して暖房機への温水の供給を停止する。
【０００４】
ここで、温水供給装置と暖房機との間の通信が不良となると、暖房機に設けられたスイッチ類を操作して温水供給装置の作動を指示することができなくなる。そこで、温水供給装置と暖房機の間で双方向の通信を行う機能を備えている場合は、温水供給装置と暖房機との間で定期的に接続チェック信号を送受信して通信状態を確認する処理を行って通信不良の有無を検知し、通信不良を検知したときは温水供給装置の作動を禁止することが考えられる。
【０００５】
しかし、暖房機がこのように温水供給装置との間で双方向の通信を行う機能を備えておらず、温水供給装置に対して単に信号を出力する一方向の通信機能しかもたない場合には、上述した処理によって温水供給装置と暖房機との間の通信不良の有無を検知することはできず、通信状態を確認する処理は特に行われていなかった。
【０００６】
そのため、温水供給装置と暖房機間の通信が、暖房機の信号入力回路の故障等により不良となると、信号の誤検知により実際には暖房機の暖房開始スイッチが操作されていないにも拘らず暖房運転が開始されたり、或いは、暖房機の暖房停止スイッチが操作されても温水供給装置側で暖房の停止を指示する信号を受信できずにバーナが燃焼を継続する等の誤作動が生じるおそれがあった。
【０００７】
そして、温水を熱源とする暖房機は、上述したように温水供給装置から離れた場所に設置されるのが一般的であるため、温水供給装置から暖房機への温水の供給が開始されてから実際に温水が暖房機に到達して、室温が上昇するまでにある程度時間を要する。そのため、使用者が温水供給装置の誤動作に気づき難く、温水供給装置が作動を継続してエネルギーが無駄に消費されてしまうという不都合があった。
【０００８】
【発明が解決しようとする課題】
本発明は、上記不都合を解消し、暖房機と温水供給装置との間の通信が、暖房機の信号入力回路の故障等により不良となったときに、誤動作によりエネルギーが無駄に消費されることを防止した温水供給装置を提供することを目的とする。
【０００９】
【課題を解決するための手段】
本発明は上記目的を達成するためになされたものであり、本発明の第１の態様は、温水を供給する温水供給手段と、該温水供給手段の作動を制御する温水供給制御手段とを備え、温水を熱源として室内の暖房を行う暖房機に対して前記温水供給手段により温水を供給する温水供給装置であって、前記暖房機に備えられた送信手段から出力される信号を通信線を介して入力する信号入力回路を有する受信手段を備えて、前記送信手段から該受信手段への一方向通信を行い、前記温水供給制御手段は、前記信号入力回路に入力される信号の種類に応じて前記温水供給手段の作動を制御する温水供給装置の改良に関する。
【００１０】
そして、前記通信線の途中個所を信号伝達可能状態と信号伝達不能状態とに切換える切換え回路と、前記信号入力回路への信号入力の有無を検知する信号入力検知手段と、前記切換え回路により前記通信線の前記途中個所を前記信号伝達不能状態としたときに、前記信号入力検知手段により前記信号入力回路への信号入力が検知されるか否かに応じて前記信号入力回路の故障の有無を検知する故障検知手段と、該故障検知手段により前記信号入力回路が故障状態にあることが検知されたときに、前記温水供給手段の作動の禁止と故障報知とのうち少なくともいずれか一方を行う故障対処手段とを備えたことを特徴とする。
【００１１】
かかる本発明によれば、前記信号入力回路が正常に作動していれば、前記切換え回路により前記通信線の途中個所を前記信号伝達不能状態としたときは、前記信号入力回路には何の信号も入力されない状態となる。そのため、前記通信線の途中を前記信号伝達不能状態としたときに、前記信号入力検知手段により前記信号入力回路への信号入力が検知されたときには、前記故障検知手段は前記信号入力回路が故障状態にあると判断することができる。
【００１２】
そして、前記故障検知手段により前記信号入力回路が故障状態にあることが検知されたときに、前記故障対処手段により、前記温水供給手段の作動を禁止し又は前記故障報知により使用者に前記温水供給手段の停止を促すことによって、前記信号入力回路の誤作動により、前記温水供給手段が使用者の意に反して作動を開始、継続し、無駄なエネルギーが消費されることを防止することができる。
【００１３】
また、前記受信手段は前記信号入力回路に入力される信号の種類を識別する信号識別手段を有し、前記温水供給制御手段は前記信号識別手段により識別された信号の種類に応じて前記温水供給手段の作動を制御し、前記信号入力検知手段は、前記信号識別手段により所定種類の信号が識別されたときに、前記信号入力回路に信号が入力されたと判断することを特徴とする。
【００１４】
かかる本発明によれば、前記信号入力検知手段は、前記信号入力回路への信号入力の有無を前記信号識別手段による識別結果によって判断する。そのため、前記信号入力回路への信号入力の有無を検知するための手段を新たに設ける必要がない。
【００１５】
次に、本発明の第２の態様は、温水を供給する温水供給手段と、該温水供給手段の作動を制御する温水供給制御手段とを備え、温水を熱源として室内の暖房を行う暖房機に対して前記温水供給手段により温水を供給する温水供給装置であって、前記暖房機に備えられた送信手段から出力される信号を通信線を介して入力する信号入力回路と、該信号入力回路に入力された信号の種類を識別する信号識別手段とを有する受信手段を備えて、前記送信手段から該受信手段への一方向通信を行い、前記温水供給制御手段は、前記信号識別手段により識別された信号の種類に応じて、前記温水供給手段の作動を制御する温水供給装置の改良に関する。
【００１６】
そして、前記通信線と接続された検査用信号入力回路と、該検査用信号入力回路に入力された信号の種類を識別する検査用信号識別手段と、同一時点において、前記信号識別手段により識別された信号の種類と前記検査用信号識別手段により識別された信号の種類とが一致するか否かに応じて、前記信号入力回路又は前記検査用信号入力回路の故障の有無を検知する故障検知手段と、該故障検知手段により前記信号入力回路又は前記検査用入力回路が故障状態にあることが検知されたときに、前記温水供給手段の作動の禁止と故障報知とのうち少なくともいずれか一方を行う故障対処手段とを備えたことを特徴とする。
【００１７】
かかる本発明によれば、前記信号入力回路と前記検査用信号入力回路とが共に正常に作動していれば、同一時点において、前記信号識別手段により識別される信号の種類と前記検査用信号識別手段により識別される信号の種類とは一致するはずである。そのため、前記故障検知手段は、同一時点において、前記信号識別手段により識別される信号の種類と前記検査用信号識別手段により識別される信号の種類とが一致しなかったときは、前記信号入力回路と前記検査用信号入力回路と少なくともいずれか一方が故障した状態にあると判断することができる。
【００１８】
そして、前記故障検知手段により、前記信号入力回路又は前記検査用信号入力回路が故障状態にあることが検知されたときに、上述した第１の態様と同様、前記故障対処手段により、前記温水供給手段の作動を禁止し又は前記故障報知により使用者に前記温水供給手段の停止を促すことによって、前記信号入力回路の誤作動により前記温水供給手段が使用者の意に反して作動を開始、継続し、無駄なエネルギーが消費されることを防止することができる。
【００１９】
【発明の実施の形態】
本発明の実施の形態の一例を、図１〜図４を参照して説明する。図１は本発明の温水供給装置を用いた室内暖房システムの全体構成図、図２は図１に示した室内暖房システムの制御ブロック図、図３は図１に示した室内暖房システムにおける通信回路図、図４は通信処理のタイミングチャートである。
【００２０】
図１を参照して、温水供給装置１は室外に設置され、温風暖房機２（本発明の暖房機に相当する）及び床暖房パネル３（本発明の暖房機に相当する）と温水回路４によって接続されている。温水回路４は、温風暖房機２に温水を供給するための温風暖房路５と、床暖房パネル３に温水を供給するための床暖房路６とにより構成されている。また、温水供給装置１は、バーナ７により加熱されて温水回路４中の温水を昇温させる温水熱交換器８と、温水回路４内の温水を循環させる循環ポンプ９と、温水回路４内の温水の膨張と収縮を吸収するシスターン１０とを備えている。
【００２１】
温風暖房路５は、温風暖房機２に温水を供給する１次供給路１１と、温風暖房機２から温水を還流する１次還流路１２とから構成されている。１次供給路１１は、温水熱交換器８から第１温水サーミスタ１３の取付け箇所を経由して図中下方に直進し、温風暖房機２に備えられた暖房熱交換器１５の流入側に接続されている。一方、１次還流路１２は、暖房熱交換器１５の流出側から流量制御弁１４を介してシスターン１０の流入側に接続され、シスターン１０の流出側から循環ポンプ９を介して温水熱交換器８に接続されている。温風暖房機２に設けられた流量制御弁１４は、その開度を変化させることにより温風暖房機２に供給される温水の流量を調節したり、温水の供給を停止したりするものである。
【００２２】
床暖房路６は、床暖房パネル３に温水を供給する２次供給路１６と、床暖房パネル３から温水を還流する２次還流路１７とから構成されている。２次供給路１６は、循環ポンプ９の吐出側から図中下方向に分岐し、第２温水サーミスタ１８の取付け箇所を経由して、床暖房パネル３に供給する温水の流量を調節する開閉制御弁１９とを介して床暖房パネル３の流入側に接続されている。一方、２次還流路１７は、床暖房パネル３の流出側と接続され、１次還流路１２及びバイパス供給路２０と合流している。
【００２３】
バイパス供給路２０は、１次供給路１１から図中左方向に分岐し、温風暖房機２をバイパスして１次還流路１２に接続されている。このバイパス供給路２０は、温水熱交換器８により加熱された温水と床暖房パネル３からの復水とをシスターン１０でミキシングして、床暖房パネルからの復水を昇温させるためのものである。
【００２４】
２次供給路１６に設けられた開閉制御弁１９は、その開閉時間を制御することにより床暖房パネル３に温水を供給する時間を調節して、床暖房パネル３からの放熱量を制御するためのものである。
【００２５】
２１はバーナ７に燃料ガスを供給するガス供給管であり、ガス供給管２１には、ガスの供給と遮断とを切替える元ガス電磁弁２２及びガス電磁弁２３と、ガスの供給流量を調節するガス比例弁２４とが設けられている。そして、バーナ７の燃料量は、ガス比例弁２４により燃料ガスの供給流量を調節し、又、燃焼ファン２５により燃焼用空気の供給流量を調節することによって制御される。
【００２６】
温水供給装置１は温水供給コントローラ２６によってその作動が制御され、スイッチ部２７には電源スイッチやブザー等が備えられる。温水供給コントローラ２６はマイコン等によって構成された電子ユニットであり、温風暖房機２と通信線２８により接続され、床暖房パネル３の近傍に設置された床暖房端末２９と通信線３０により接続される。
【００２７】
温風暖房機２は、温風ファン３１、温風暖房の開始や停止を指示するスイッチ等が設けられた温風暖房操作パネル３２、室温を検出する温風暖房用サーミスタ３３、及び温風暖房機２の作動を制御する温風暖房コントローラ３４を備える。また、床暖房端末２９は、床暖房の開始や停止を指示スイッチ等が設けられた床暖房操作パネル３５、室温を検出する床暖房用サーミスタ３６、及び床暖房パネル３への温水の供給と停止を制御する床暖房コントローラ３７を備える。
【００２８】
次に、図２を参照して、温水供給装置１に備えられた温水供給コントローラ２６は、温風暖房機２及び床暖房端末２９から送信される信号をそれぞれ通信線２８，３０を介して入力する信号入力回路４０やマイコン４１等により構成される。そして、マイコン４１は、信号入力回路４０に入力された信号の種類を識別する信号識別手段４２、信号入力回路４０の故障を検知する故障検知手段４３（本発明の信号入力検知手段の機能を含む）、信号入力回路４０の故障に対する処理を行う故障対処手段４４、及び信号識別手段４２より識別された信号の種類に応じて温水供給装置１の作動を制御する温水供給制御手段４５を備える。
【００２９】
温水供給コントローラ２６は、操作部２７に備えられた電源スイッチ（図示しない）がＯＮ操作されることにより、電源の供給が開始されてその作動を開始する。そして、温水供給コントローラ２６は、第１温水サーミスタ１３及び第２温水サーミスタ１８と接続されて、これらの検出信号により循環路４中の温水の温度を認識し、点火電極４６，燃焼ファン２５，元ガス電磁弁２２，ガス電磁弁２３，及びガス比例弁２４と接続されて、これらの作動を制御してバーナ７の燃焼制御を行う。さらに、温水供給コントローラ２６は、循環ポンプ９及び開閉制御弁１９と接続され、これらの作動を制御して循環路４中を流れる温水の流量や経路を制御する。
【００３０】
図２を参照して、温風暖房機２に備えられた温風暖房コントローラ３４は、マイコン５０や信号出力回路５１等により構成される電子ユニットであり、使用者により温風暖房操作パネル３２が操作されて温風暖房の開始が指示されると、信号出力回路５１を介して温水の供給を指示する温水供給信号を温水供給装置１に出力する。
【００３１】
そして、温風暖房コントローラ３４は、温水供給装置１から温水が供給された状態で温風ファン３１を作動させ、これにより、図１を参照して暖房熱交換器１５により加熱された空気が温風として室内に送出される。さらに、温風暖房コントローラ３４は、使用者が温風暖房操作パネル３２を操作して設定した目標室温と温風暖房用サーミスタ３３の検出温度が一致するように、流量制御弁１４の開度を調節して暖房熱交換器１５に供給される温水の流量を制御し、温風ファン３１の回転数を調節して室内への温風の送出量を制御する。尚、マイコン５０は信号出力回路５１と共に本発明の送信手段を構成する。
【００３２】
図２を参照して、床暖房端末２９に備えられた床暖房コントローラ３７は、マイコン５２や信号出力回路５３等により構成される電子ユニットであり、使用者により床暖房操作パネル３５が操作されて床暖房の開始が指示されると、送信回路５３を介して温水の供給を指示する温水供給信号を温水供給装置１に出力する。これにより、図１を参照して、床暖房パネル３に温水が供給され、温水の放熱により室内の暖房が行われる。また、床暖房コントローラ３７は、使用者が床暖房操作パネル３５を操作して設定した目標室温と床暖房用サーミスタ３６の検出温度が一致するように、温水供給信号と供給停止を指示する温水停止信号を温水供給装置１に送信して温水の供給量を調節し、床暖房パネル３からの放熱量を制御する。尚、マイコン５２は信号出力回路５３と共に本発明の送信手段を構成する。
【００３３】
次に、図１及び図２を参照して、温風暖房機２から温風供給装置１に対して温水供給信号が送信されたとき、及び床暖房端末２９から温水供給装置１に対して温水供給信号が送信されたときの温水供給装置１の作動について説明する。
【００３４】
温水供給制御手段４５は、温風暖房機２又は床暖房端末２９から出力された温水供給信号を信号識別手段４２によって認識すると、先ずバーナ７の点火処理を行う。
【００３５】
即ち、温水供給制御手段４５は、燃焼ファン２５を作動させてバーナ７に燃焼用空気を供給し、バーナ７の近傍に設けられた点火電極４６に火花放電を生じさせた状態で、元ガス電磁弁２２とガス電磁弁２３を開弁してバーナ７への燃料ガスの供給を開始することによってバーナ７に点火する。そして、温水供給制御手段４５は、循環ポンプ９を作動させて、バーナ７で加熱された温水熱交換器８により昇温された温水を温水回路４内に循環させる。
【００３６】
温水供給制御手段４５は、温風暖房機２からのみ温水供給信号を入力したとき（温風暖房機２の単独運転）は、開閉制御弁１９を閉弁状態として温水を循環させる。これにより、温水は床暖房路６側には流れず、温風暖房路５側を介して循環する。そして、温水供給制御手段４５は、第１温水サーミスタ１３により検出される１次供給路１１に供給される湯の温度が６０℃又は８０℃（温風暖房機２からの指示信号に応じて設定される）となるように、ガス比例弁２４の開度と燃焼ファン２５の回転数を調節してバーナ７の燃焼量を制御する。
【００３７】
また、床暖房端末２９からのみ温水供給信号を入力したとき（床暖房パネル３の単独運転）は、温水供給制御手段４５は、バーナ７の点火後、開閉制御弁１９を開弁状態として循環ポンプ９を作動させる。このとき、温風暖房機２は作動を停止して流量制御弁１４が閉弁状態となっているので、温水は温風暖房路５側には流れず、床暖房路６側を介して循環する。そして、温水供給制御手段４５は、第２温水サーミスタ１８により検出される２次供給路１６に供給される温水の温度が６０℃となるように、ガス比例弁２４の開度と燃焼ファン２５の回転数を調節してバーナ７の燃焼量を制御する。
【００３８】
また、温風暖房機２と床暖房端末２９の双方から温水供給開始信号を受信したたとき（温風暖房機２と床暖房パネル３の複合運転）は、温水供給制御手段４５は、開閉制御弁１９を開弁状態として循環ポンプ９を作動させる。このとき、温風暖房機２の温風暖房コントローラ３４は流量制御弁１４を開弁するので、温水は、温水暖房路５と床暖房路６の双方を循環する。
【００３９】
次に、図３を参照して、温水供給コントローラ２６の信号入力回路４０（４０ａ，４０ｂ）の故障検知処理について説明する。図３を参照して、床暖房コントローラ３７と温水供給コントローラ２６は、３線（ＶCC，Signal，ＧＮＤ）からなる通信線３０で接続されている。
【００４０】
床暖房コントローラ３７に備えられた信号出力回路５３は、マイコン５２の出力ポートＯＵＴ１０とＯＵＴ１１からそれぞれ出力される電圧のレベル（ロジック高レベル／ロジック低レベル）に応じて、３種類のレベルの電圧を出力する。
【００４１】
先ずＯＵＴ１０とＯＵＴ１１の出力電圧が共にロジック高レベルであるときは、トランジスタ６１とトランジスタ６２が共にＯＦＦ状態となるので、通信線３０の信号（Signal）ライン６３はダイオード６４とツェナーダイオード６５を介してＧＮＤと接続される。そのため、信号ライン６３の出力電圧は０Ｖとなる。
【００４２】
また、ＯＵＴ１０の出力電圧がロジック高レベルであってＯＵＴ１１の出力電圧がロジック低レベルであるときは、トランジスタ６１がＯＦＦでトランジスタ６２がＯＮである状態となる。そのため、ツェナーダイオード６５にはトランジスタ６２を介してＶCCが印加され、信号ライン６３に出力される電圧レベルはツェナーダイオード６５のツェナー電圧Ｖzとなる（トランジスタ６２及びダイオード６５での電圧降下は無視する）。
【００４３】
また、ＯＵＴ１０の出力電圧がロジック低レベルであってＯＵＴ１１の出力電圧がロジック高レベルであるときは、トランジスタ６１がＯＮでトランジスタ６２がＯＦＦである状態となる。そのため、信号ライン６３はトランジスタ６１を介してＶCCと接続され、信号ライン６３に出力される電圧はＶCCとなる（トランジスタ６１での電圧降下は無視する）。なお、ＯＵＴ１０とＯＵＴ１１の出力電圧が共にロジック低レベルであるときも、信号ライン６３に出力される電圧レベルはＶCCとなる。
【００４４】
したがって、信号ライン６３には、０Ｖ，Ｖz，ＶCCという３種類の電圧レベルの信号が出力される。そして、温水供給コントローラ２６に備えられたマイコン４１は、信号ライン６３に出力された電圧信号を、トランジスタ６７（本発明の切換え回路に相当する）及び入力回路４０ａを介して入力ポートＩＮ０とＩＮ１から信号を入力する。
【００４５】
そして、マイコン４１は、通常は出力ポートＯＵＴ０からロジック低レベル信号を出力してトランジスタ６７をＯＮ状態とし、通信線３０の信号ライン６３と入力回路４０ａを接続する信号伝達可能状態として床暖房コントローラ３７から出力される信号を入力する。
【００４６】
信号伝達可能状態で、床暖房コントローラ３７から信号ライン６３にＶCCの電圧信号が出力されると、ＮＯＴ回路６８と６９への入力は共にロジック高レベルとなるので、マイコン６６の入力ポートＩＮ０とＩＮ１には共にロジック低レベル信号が入力される。また、床暖房コントローラ３７から信号ライン６３にＶzの電圧信号が出力されると、ＮＯＴ回路６８への入力はロジック高レベルとなるが、ツェナーダイオード７０による電圧降下によりＮＯＴ回路６９への入力はロジック低レベルとなる。そのため、マイコン４１の入力ポートＩＮ０にはロジック低レベル信号が入力され、ＩＮ１にはロジック高レベル信号が入力される。また、床暖房コントローラ３７から信号ライン６３に０Ｖの電圧信号が出力されると、ＮＯＴ回路６８，６９への入力が共にロジック低レベルとなるため、マイコン４１の入力ポートＩＮ０，ＩＮ１には共にロジック高レベル信号が入力される。
【００４７】
次に、図４（ａ）を参照して、マイコン４１は、通常は出力ポートＯＵＴ０からロジック低レベル信号を出力してトランジスタ６７をＯＮ状態とし、通信線３０の信号ライン６３と入力回路４０ａを接続する信号伝達可能状態とする。そして、この信号伝達可能状態で、入力ポートＩＮ０とＩＮ１にロジック高レベル信号が入力されたとき（図中▲１▼の状態）、即ち床暖房コントローラ３７から０Ｖの信号が出力されたときは、温水供給制御手段４５は開閉制御弁１９を閉弁して床暖房パネル３への温水の供給を停止する。
【００４８】
また、ＩＮ０にロジック低レベルの信号が入力され且つＩＮ１にロジック高レベル信号が入力されたとき（図中▲２▼の状態）、即ち床暖房コントローラ３７からＶzの信号が出力されたときは、温水制御供給制御手段４５は開閉制御弁１９を開弁状態に保って床暖房パネル３に継続的に温水を供給する強温水供給を行う。また、ＩＮ０とＩＮ１にロジック低レベル信号が入力されたとき（図中▲３▼の状態）、即ち床暖房コントローラ３７からＶCCの電圧信号が出力されたときは、温水供給制御手段４５は開閉制御弁１９を制御して、床暖房パネル３に５分間温水を供給し１５分間温水を停止する作動を周期的に実行する弱温水供給を行う。
【００４９】
このように、床暖房コントローラ３７と温水供給コントローラ２６間の通信が正常に行われていれば、床暖房コントローラ３７から送信される信号の種類に応じて温水供給装置１から床暖房パネル３への温水の供給／停止が行われる。
【００５０】
しかし、床暖房コントローラ３７と温水供給コントローラ２６間の通信が不良となると、例えば、使用者が床暖房操作パネル３５を操作していないにも拘らず、マイコン４１の入力ポートＩＮ０，ＩＮ１に温水の供給を指示する信号が入力されて温水の供給が開始されたり、また、使用者が床暖房操作パネル３５を操作して床暖房の停止を指示したにも拘らず、マイコン４１の入力ポートＩＮ０，ＩＮ１には温水の供給停止信号が入力されずに温水の供給が継続されてしまう場合が生じ得る。
【００５１】
そして、このように、使用者の意に反して温水の供給が開始された場合、温水供給制御手段４５はバーナ７に点火して循環ポンプ９を作動させるが、床暖房パネル３は室外に置かれた温水供給装置１から離れた場所に設置されるのが一般的であるため、温水供給装置１が温水供給を開始してから温水が床暖房パネル３に到達して床暖房パネル３による放熱が開始されるまでにはある程度時間を要する。
【００５２】
また、床暖房パネル３での放熱が開始されてから使用者が室温の上昇を感知するまでにもある程度時間を要する。そのため、温水供給装置１の誤動作により床暖房パネル３への温水の供給が開始されても、使用者が直ちにこの誤動作に気づくことは難しく、使用者がこの誤動作に気づいて温水供給装置１の作動を停止するまでの間に、燃料ガスや電力が無駄に消費されてしまういう不都合がある。
【００５３】
また、正常に床暖房が停止されて温水供給装置１から床暖房パネル３への温水の供給が停止されても、床暖房パネル３内に滞留した温水の蓄熱が放熱されるため、室温は急には低下せずに徐々に低下する。そのため、通信不良により使用者が床暖房の停止指示をしたにも拘らず、誤作動により温水供給装置が温水の供給を継続しても、使用者が直ちにこの誤作動に気づくことは難しく、燃料ガスや電力が無駄に消費されてしまう。
【００５４】
そこで、マイコン４１に備えられた故障検知手段４３は、出力ポートＯＵＴ０の出力を周期的にロジック高レベルとしてトランジスタ６７をＯＦＦ状態とし、通信線３０の信号ライン６３と入力回路４０ａを遮断する信号伝達不能状態とする。そして、このように信号伝達不能状態としたときに、信号識別手段４２によって識別される入力ポートＩＮ０とＩＮ１への入力信号の種類によって、入力回路４０ａの故障を検知する。
【００５５】
すなわち、入力回路４０ａが正常に動作しているときは、ＮＯＴ回路６８及び６９の入力特性から、信号伝達不能状態となるとＮＯＴ回路６８と６９にはロジック低レベル信号が入力された状態となって、マイコン４１の入力ポートＩＮ０，ＩＮ１にはそれぞれロジック高レベル信号が入力される（図４（ａ）のＴ1，Ｔ2，Ｔ3）。
【００５６】
そのため、信号伝達不能状態としたときに、信号識別手段４２によって識別される入力ポートＩＮ０への入力信号の種類又は入力ポートＩＮ１への入力信号の種類がロジック低レベル（本発明の所定種類の信号に相当する）となったとき（図４（ａ）のＴ4 ）、即ち、信号入力回路４０ａに信号が入力されたと検知されたときは、故障検知手段４３は入力回路４０ａが故障状態にあると判断する。
【００５７】
そして、故障対処手段４４は、故障検知手段４３により入力回路４０ａの故障が検知されたときに、温水供給制御手段４５に対して温水の供給を禁止する指示を与え、この指示に従って、温水供給制御手段４５は、元ガス電磁弁２２とガス電磁弁２３を閉弁してガスバーナ７の燃焼を禁止（停止）し、燃焼ファン２５と循環ポンプ９の作動を禁止（停止）する（本発明の温水供給手段の作動の禁止に相当する）。また、故障対処手段４４は、操作部２７（図１、図２参照）に備えられたブザー（図示しない）を鳴動させて、使用者に入力回路４０ａの故障が生じたことを報知する（本発明の故障報知に相当する）。
【００５８】
これにより、故障対処手段４４は、入力回路４０ａの故障が生じたときに、上述したように使用者の意に反して温水の供給が開始、継続されて、燃料ガスや電力が無駄に消費されることを防止している。
【００５９】
次に、図３を参照して、温風暖房コントローラ３４と温水供給コントローラ２６は、３線（ＶCC，Signal１，Signal２）からなる通信線２８で接続されている。
【００６０】
温風暖房コントローラ３４に備えられた信号出力回路５１は、マイコン５０の出力ポートＯＵＴ２０とＯＵＴ２１からそれぞれ出力される電圧のレベル（ロジック高レベル／ロジック低レベル）に応じて開閉する接点７０，７１を備えている。接点７０はＯＵＴ２０からロジック高レベル信号が出力されたときに閉成し、ＯＵＴ２０からロジック低レベル信号が出力されたときに開成する。同様に、接点７１はＯＵＴ２１からロジック高レベル信号が出力されたときに閉成し、ＯＵＴ２１からロジック低レベル信号が出力されたときに開成する。
【００６１】
そして、接点７０の一端はＶCCに接続され、他端は第１信号ライン７２に接続されているため、接点７０が閉成すると第１信号ライン７２にＶCCの電圧信号が出力され、ＮＯＴ回路７３で反転されてマイコン４１の入力ポートＩＮ２にはロジック低レベル信号が入力される。また、同様に、接点７１の一端はＶCCに接続され、他端は第２信号ライン７４に接続されているため、接点７１が閉成すると第２信号ライン７４にＶCCの電圧信号が出力され、ＮＯＴ回路７５で反転されてマイコン４１の入力ポートＩＮ３にはロジック低レベル信号が入力される
また、接点７０が開成されるとＮＯＴ回路７３の入力特性からＮＯＴ回路７３にはロジック低レベル信号が入力された状態となり、マイコン４１の入力ポートＩＮ２にはロジック高レベル信号が入力される。同様に、接点７１が開成されるとＮＯＴ回路７５にはロジック低レベル信号が入力された状態となり、マイコン４１の入力ポートＩＮ３にはロジック高レベル信号が入力される。
【００６２】
温風暖房コントローラ３４は、温水供給コントローラ２６に対して６０℃の温水の供給を指示するときはＯＵＴ２０からロジック高レベル信号を出力して接点７０を閉成し、温水供給コントローラ２６に対して８０℃の温水の供給を指示するときはＯＵＴ２１からロジック高レベル信号を出力して接点７１を開成する。そして、これに応じて、マイコン４１の入力ポートＩＮ２にロジック低レベル信号が入力されたときに温水供給制御手段４５は６０℃の温水を温風暖房機２に供給し、マイコン４１の入力ポートＩＮ３にロジック低レベル信号が入力されたときに温水供給制御手段４５は８０℃の温水を温風暖房機２に供給する。
【００６３】
温水供給コントローラ２６に備えられた検査用入力回路８０は入力回路４０ｂの故障を検知するためのものであり、ＮＯＴ回路７３，７５と同一仕様のＮＯＴ回路８１，８２を備える。ＮＯＴ回路８１は第１信号ライン７２と接続され、ＮＯＴ回路８２はＮＯＴ回路７５と接続されている。そのため、ＮＯＴ回路７３，７５，８１，８２が全て正常に作動していれば、同一時点において、マイコン４１の入力ポートＩＮ２とＩＮ４に入力されて信号識別手段４２により識別される信号の種類は同一となり、また、マイコン４１の入力ポートＩＮ３とＩＮ５に入力されて信号識別手段４２により識別される信号の種類も同一となる。
【００６４】
そこで、故障検知手段４３は、同一時点において信号識別手段４２（本発明の検査用信号識別手段の機能を含む）により識別された入力ポートＩＮ２とＩＮ４への入力信号が異なったときは、ＮＯＴ回路７３と８１のうち少なくともいずれか一方が故障状態にあると判断する。また、同様に、故障検知手段４３は、同一時点において信号識別手段４２により識別された入力ポートＩＮ３とＩＮ５への入力信号が異なったときは、ＮＯＴ回路７５と８２のうち少なくともいずれか一方が故障状態にあると判断する。
【００６５】
図４（ｂ）は、ＮＯＴ回路７３に故障が生じた場合の例を示したタイミングチャートであり、ＮＯＴ回路２とＮＯＴ回路４が共に正常に作動していれば、図中▲５▼〜▲８▼に示したようにマイコン４１の入力ポートＩＮ２とＩＮ４に入力される信号の種類は同一となる。そして、ＮＯＴ回路７３に故障が生じて（図中Ｙの時点）、ＮＯＴ回路７３の出力が常時ロジック低レベルとなると、入力ポートＩＮ２とＩＮ４に入力される信号の種類が異なる状態となる。この場合、温風暖房操作パネル３２の操作に拘らず、温水供給コントローラ２６には６０℃の温水供給の指示する信号が入力される状態となるため、使用者の意に反して温風暖房機２への温水供給が指示される状態となる。
【００６６】
そして、このように使用者の意に反して温風暖房機２に温水の供給が指示された場合は、温風ファン３１は作動せず、また、流量制御弁１４は閉弁されているため温風暖房機２への温水供給は行われず、図１を参照して温水はバイパス供給路２０等を介して温水供給装置１内でのみ循環する状態となる。そのため、使用者は温水供給装置１のバーナ７や循環ポンプ９が作動していることに気づき難く、燃料ガスや電力が無駄に消費されてしまう。
【００６７】
そこで、故障対処手段４４は、故障検知手段４３により入力回路４０ｂ（ＮＯＴ回路７３，７５）又は検査用入力回路８０（ＮＯＴ回路７５，８２）の故障が検知されたときに、温水供給制御手段４５に対して温水の供給を禁止する指示を与える。
【００６８】
そして、この指示に従って、温水供給制御手段４５は、元ガス電磁弁２２とガス電磁弁２３を閉弁してガスバーナ７の燃焼を禁止（停止）し、燃焼ファン２５と循環ポンプ９の作動を禁止（停止）する（本発明の温水供給手段の作動の禁止に相当する）。また、故障対処手段４４は、操作部２７（図１、図２参照）に備えられたブザー（図示しない）を鳴動させて、使用者に入力回路４０ａの故障が生じたことを報知する（本発明の故障報知に相当する）。
【００６９】
これにより、故障対処手段４４は、入力回路４０ｂの故障が生じたときに、上述したように使用者の意に反してバーナ７や循環ポンプ９が作動して、燃料ガスや電力が無駄に消費されることを防止している。
【００７０】
尚、本実施の形態では、温水供給装置１と温風暖房機２及び床暖房パネル２間の通信仕様として、ＶCC，Ｖz，ＧＮＤという３種類の電圧信号を出力するもの（温水供給装置１と床暖房端末２９間）と、ＶCCのみを出力するもの（温水供給装置１と温風暖房機２間）を示したが、他の通信仕様による場合であっても、暖房機から温水供給装置への一方向通信によって温水の供給／停止を指示する暖房システムに対しては、本発明を有効に適用することができる。
【００７１】
また、本実施の形態では、ガスバーナを熱源として温水を昇温する温水供給装置を示したが、石油バーナや電気ヒータを熱源とする温水供給装置に対しても本発明の適用が可能である。
【００７２】
また、本実施の形態では、故障検知手段４３は信号識別手段４２による識別結果から信号入力回路４０への信号入力の有無を検知したが、信号入力回路４０への信号入力の有無を検知する手段を別に設けてもよい。
【図面の簡単な説明】
【図１】室内暖房システムの全体構成図。
【図２】図１に示した室内暖房システムの制御ブロック図。
【図３】図１に示した室内暖房システムにおける通信回路図。
【図４】通信処理のタイミングチャート。
【符号の説明】
１…温水供給装置、２…温風暖房機、３…床暖房パネル、４…温水回路、５…温風暖房路、６…床暖房路、７…バーナ、８…温水熱交換器、９…循環ポンプ、２６…温水供給コントローラ、３４…温風暖房コントローラ、３７…床暖房コントローラ
【図１】
0003638833.tif 000002
【図２】
0003638833.tif 000003
【図３】
0003638833.tif 000004
【図４】
0003638833.tif 000005